(57)【要約】幾つかの実施形態では、プロセッサ実施方法は、充填ステーションから、製剤及びカプセル識別子を含む充填完了メッセージを受信することを含む。方法は、計算デバイスから、気化器識別子及び計算デバイス又はユーザ識別子を含む登録要求を受信することも含む。登録要求が検証され、及び登録確認メッセージが計算デバイスに送信される。方法は、カプセル識別子、気化器識別子及び計算デバイスの識別子又はユーザの識別子の少なくとも一方を含むカプセル取り付けイベント検出メッセージを受信することも含む。カプセル取り付けイベント検出メッセージの有効性が評価される。カプセル取り付けイベント検出メッセージが有効である場合、アンロックメッセージが計算デバイス又は気化器に送信され、及びカプセル取り付けイベント検出メッセージが有効である場合、アラートが計算デバイス又は気化器に送信される。
2022500771.tif 000002
【特許請求の範囲】
【請求項１】
プロセッサにおいて、充填ステーションからの、製剤識別子及びカプセル識別子を含む充填完了メッセージを受信することと、
前記プロセッサにおいて、ユーザの計算デバイスからの、気化器識別子及び前記計算デバイスの識別子及び前記ユーザの識別子の少なくとも一方を含む登録要求メッセージを受信することと、
前記プロセッサを介して、前記気化器識別子の有効性チェックと、前記計算デバイスの識別子及び前記ユーザの識別子の前記少なくとも一方の有効性チェックと、の少なくとも一方に基づいて登録要求を検証することと、
前記プロセッサに動作可能に結合されたメモリにおいて、前記ユーザを前記計算デバイス及び前記気化器識別子に関連付ける登録記録を記憶することと、
前記プロセッサから前記計算デバイスに、かつ前記登録要求を検証することに応答して、登録確認メッセージを送信することと、
前記プロセッサにおいて、前記計算デバイスからの、前記カプセル識別子と、前記気化器識別子と、前記計算デバイスの前記識別子及び前記ユーザの前記識別子の少なくとも一方とを含む、カプセル取り付けイベント検出メッセージを受信することと、
前記プロセッサを介して、前記カプセル取り付けイベント検出メッセージが有効であるか否かを判断することと、
前記カプセル取り付けイベント検出メッセージが有効である場合、前記気化器をアンロックして使用するために、前記プロセッサから、前記計算デバイス又は前記気化器識別子に関連付けられた気化器に、アンロックメッセージを送信することと、
前記カプセル取り付けイベント検出メッセージが有効ではない場合、アラートを、前記プロセッサから、前記計算デバイス又は前記気化器識別子に関連付けられた気化器に送信することと、を含む、
方法。
【請求項２】
前記アラートは、
前記気化器のインジケータ光の照明、
前記計算デバイス及び前記気化器の少なくとも一方からのオーディオ信号の放出、
前記気化器のインターフェースでのアラートメッセージの表示、
前記計算デバイスのグラフィカルユーザインターフェース（ＧＵＩ）を介したアラートメッセージの表示、及び
前記計算デバイスにおける触覚フィードバック
のうちの少なくとも１つを生じさせる信号を含む、請求項１に記載の方法。
【請求項３】
前記登録要求を前記検証することは、少なくとも部分的に前記ユーザの年齢の有効性チェックに基づいて行う、請求項１に記載の方法。
【請求項４】
前記カプセル取り付けイベント検出メッセージが有効であるか否かを前記判断することは、前記カプセル取り付けイベント検出メッセージに関連付けられたカプセルが、動作のために許容可能な地理的場所に配置されているか否かを判断することを含む、請求項１に記載の方法。
【請求項５】
前記カプセル取り付けイベント検出メッセージが有効であるか否かを前記判断することは、前記カプセル取り付けイベント検出メッセージに関連付けられたカプセルが、動作のために許容可能な物質を含むか否かを判断することを含む、請求項１に記載の方法。
【請求項６】
前記カプセル取り付けイベント検出メッセージが有効であるか否かを前記判断することは、前記カプセル識別子がリコール指示に関連付けられているか否かを判断することを含む、請求項１に記載の方法。
【請求項７】
メモリにおいて、カプセル識別子をカプセル充填データに関連付ける由来記録を記憶することと、
プロセッサにおいて、計算デバイスからの、前記カプセル識別子、気化器に関連付けられた気化器識別子及び前記計算デバイスの識別子及びユーザの識別子の少なくとも一方を含むカプセル取り付けイベント検出メッセージを受信することと、
前記プロセッサを介してかつ前記由来記録に基づいて、前記カプセル取り付けイベント検出メッセージが有効であるか否かを判断することと、
前記カプセル取り付けイベント検出メッセージが有効である場合、前記気化器をアンロックして使用するために、前記計算デバイス又は前記気化器識別子に関連付けられた気化器にアンロックメッセージを送信することと、
前記カプセル取り付けイベント検出メッセージが有効ではない場合、アラートを前記プロセッサから前記計算デバイス又は前記気化器に送信することと、を含む、
方法。
【請求項８】
前記カプセル取り付けイベント検出メッセージが有効であるか否かを前記判断することは、前記カプセル識別子を前記由来記録と照合することを含む、請求項７に記載の方法。
【請求項９】
前記メモリにおいて、前記ユーザを前記計算デバイス及び前記気化器に関連付ける登録記録を記憶することをさらに含み、前記カプセル取り付けイベント検出メッセージが有効であるか否かを前記判断することは、前記気化器識別子及び前記計算デバイスの前記識別子及び前記ユーザの前記識別子の前記少なくとも一方を前記登録記録と照合することをさらに含む、請求項８に記載の方法。
【請求項１０】
前記カプセル取り付けイベント検出メッセージが有効である場合、由来メッセージを前記計算デバイス又は前記気化器に送信して、前記計算デバイス又は前記気化器の前記一方のＧＵＩを介して由来データの表示を引き起こすことをさらに含む、請求項７に記載の方法。
【請求項１１】
プロセッサと、
前記プロセッサに動作可能に結合され、かつ前記プロセッサに、
前記プロセッサにおいて、リモート計算デバイスからの、カプセル識別子、気化器識別子及び前記リモート計算デバイスの識別子及びユーザの識別子の少なくとも一方を含むカプセル取り付けイベント検出メッセージを受信すること、
前記プロセッサを介してかつ登録記録に基づいて、前記カプセル取り付けイベント検出メッセージが有効であるか否かを判断すること、
前記カプセル取り付けイベント検出メッセージが有効である場合、前記気化器をアンロックして使用するために、前記プロセッサから前記計算デバイス又は前記気化器識別子に関連付けられた気化器に信号を送信すること、又は
前記カプセル取り付けイベント検出メッセージが有効ではない場合、アラートを前記プロセッサから前記計算デバイス又は前記気化器に送信すること、
を行わせる命令を記憶するメモリと、を含む、
装置。
【請求項１２】
前記プロセッサは、少なくとも部分的に、前記カプセル識別子が前記登録記録における記憶されたカプセル識別子に対応するか否かに基づいて、前記前記カプセル取り付けイベント検出メッセージが有効であるか否かを判断する、請求項１１に記載の装置。
【請求項１３】
前記プロセッサは、少なくとも部分的に、前記ユーザの前記識別子が、閾値年齢を超えるユーザ年齢に関連付けられているか否かに基づいて、前記カプセル取り付けイベント検出メッセージが有効であるか否かを判断する、請求項１１に記載の装置。
【請求項１４】
前記プロセッサは、少なくとも部分的に、前記カプセル取り付けイベント検出メッセージに関連付けられたカプセルが、動作のために許容可能な地理的場所に配置されているか否かに基づいて、前記カプセル取り付けイベント検出メッセージが有効であるか否かを判断する、請求項１１に記載の装置。
【請求項１５】
前記プロセッサは、少なくとも部分的に、前記カプセル取り付けイベント検出メッセージに関連付けられたカプセルが、動作のために許容可能な物質を含むか否かに基づいて、前記カプセル取り付けイベント検出メッセージが有効であるか否かを判断する、請求項１１に記載の装置。
【請求項１６】
前記プロセッサは、少なくとも部分的に、前記カプセル識別子がリコール指示に関連付けられているか否かに基づいて、前記カプセル取り付けイベント検出メッセージが有効であるか否かを判断する、請求項１１に記載の装置。
【請求項１７】
プロセッサと、
前記プロセッサに動作可能に結合され、かつ前記プロセッサがカプセルメモリを読み取ることができるように、前記カプセルメモリを含むカプセルを前記プロセッサに動作可能かつ可逆的に結合するように構成されたインターフェースと、
前記プロセッサに動作可能に結合され、かつ前記カプセルに含まれる担体材料を加熱するように構成されたヒータ制御回路と、
前記プロセッサに動作可能に結合された送信機と、
メモリと、を含み、
前記メモリは、前記プロセッサに動作可能に結合され、かつ前記プロセッサに、
カプセルが前記インターフェースに結合されることに応答して、前記カプセルの前記メモリを読み取ってカプセル識別子を識別することと、
前記プロセッサを介してかつ前記カプセル識別子に基づいて、前記カプセルが真正であるか否かを判断することと、
前記カプセルが真正であると判断される場合、前記送信機を介して、前記カプセル識別子が真正であるという指示を含む信号を前記プロセッサからリモート計算デバイスに送信すること、又は
前記カプセルが真正ではないと判断される場合、前記送信機を介して、アラートを含む信号を前記プロセッサから前記リモート計算デバイスに送信することと、を行わせる命令を記憶する、
装置。
【請求項１８】
前記メモリは、前記カプセル識別子が、前記メモリに記憶された公開鍵に関連付けられたデジタル署名を含むか否かに基づいて、前記カプセルが真正であるか否かを判断することを前記プロセッサに行わせる命令を記憶する、請求項１７に記載の装置。
【請求項１９】
前記メモリは、前記カプセルが真正であると前記プロセッサが判断することに応答して、前記ヒータ制御回路をアクティブ化することを前記プロセッサに行わせる命令を記憶する、請求項１７に記載の装置。
【請求項２０】
前記メモリは、前記送信機を介して、前記カプセル識別子がリコールに関連付けられているという指示を前記プロセッサが受信することに応答して、前記カプセルメモリにリコール識別子を書き込むことを前記プロセッサに行わせる命令を記憶する、請求項１７に記載の装置。
【請求項２１】
前記メモリは、
前記カプセルが前記インターフェースに結合されることに応答して、前記送信機を介してカプセル取り付けイベント検出メッセージを送信することと、
前記リモート計算デバイスからアンロック信号を受信した後にのみ、前記ヒータ制御回路をアクティブ化することと
を前記プロセッサに行わせる命令を記憶する、請求項１７に記載の装置。
【発明の詳細な説明】
【技術分野】
【０００１】
関連出願の相互参照
[0001]  本願は、２０１８年９月１８日付けで出願された「Methods and Systems for Vaporizer Security and Traceability Management」という名称の米国仮特許出願第６２／７３２，８６０号に対する優先権及びその利益を主張するものであり、この仮特許出願の全内容は、明示的に、あらゆる目的のために参照により本明細書に援用される。
【背景技術】
【０００２】
背景
[1001]  電子蒸気送達システムは、一層人気になっている。そのようなシステムは、大麻成分及びニコチンの吸入ベースの送達のために開発されてきた。
【発明の概要】
【課題を解決するための手段】
【０００３】
概要
[1002]  幾つかの実施形態では、プロセッサ実施方法は、充填ステーションから、製剤識別子及びカプセル識別子を含む充填完了メッセージを受信することを含む。方法は、計算デバイスから、気化器識別子及び計算デバイス又はユーザの識別子の少なくとも一方を含む登録要求を受信することも含む。登録要求が検証され、登録記録が検証に基づいて生成及び記憶され、かつ登録確認メッセージが計算デバイスに送信される。方法は、カプセル識別子、気化器識別子及び計算デバイスの識別子又はユーザの識別子の少なくとも一方を含むカプセル取り付けイベント検出メッセージを受信することも含む。カプセル取り付けイベント検出メッセージの有効性が評価される。カプセル取り付けイベント検出メッセージが有効である場合、アンロックメッセージが計算デバイス又は気化器に送信され、及びカプセル取り付けイベント検出メッセージが無効である場合、アラートが計算デバイス又は気化器に送信される。アラートは、気化器のインジケータ光の照明、計算デバイス及び気化器の少なくとも一方からのオーディオ信号の放出、気化器のインターフェースでのアラートメッセージの表示、計算デバイスのグラフィカルユーザインターフェース（ＧＵＩ）を介したアラートメッセージの表示又は触覚フィードバック（計算デバイスの振動）の少なくとも１つを生じさせる信号を含むことができる。
【０００４】
[1003]  幾つかの実施形態では、プロセッサ実施方法は、カプセル識別子をカプセル充填データに関連付ける由来記録をメモリに記憶することを含む。カプセル取り付けイベント検出メッセージは、プロセッサにおいてかつ計算デバイスから受信され、カプセル取り付けイベント検出メッセージは、カプセル識別子、気化器に関連付けられた気化器識別子及び計算デバイスの識別子又はユーザの識別子の少なくとも一方を含む。プロセッサは、由来記録に基づいて、例えばカプセル識別子を由来記録と照合することにより、カプセル取り付けイベント検出メッセージが有効であるか否かを判断する。カプセル取り付けイベント検出メッセージが有効である場合、アンロックメッセージがプロセッサから計算デバイス又は気化器識別子に関連付けられた気化器の一方に送信されて、使用のために気化器をアンロックする。カプセル取り付けイベント検出メッセージが有効ではない場合、アラートがプロセッサから計算デバイス又は気化器の一方に送信される。
【０００５】
[1004]  幾つかの実施形態では、方法は、メモリにおいて、ユーザを計算デバイス及び気化器に関連付ける登録記録を記憶することも含み、及びカプセル取り付けイベント検出メッセージが有効であるか否かを判断することは、気化器識別子及び計算デバイスの識別子又はユーザの識別子の少なくとも一方を登録記録と照合することをさらに含む。
【０００６】
[1005]  幾つかの実施形態では、方法は、カプセル取り付けイベント検出メッセージが有効である場合、由来メッセージを計算デバイス又は気化器の一方に送信して、計算デバイス又は気化器の一方のＧＵＩを介して由来データの表示を引き起こすことも含む。
【０００７】
[1006]  幾つかの実施形態では、装置は、プロセッサと、プロセッサに動作可能に結合され、かつプロセッサに、リモート計算デバイスからカプセル取り付けイベント検出メッセージを受信させる命令を記憶するメモリとを含む。カプセル取り付けイベント検出メッセージは、カプセル識別子、気化器識別子及びリモート計算デバイスの識別子又はユーザの識別子の少なくとも一方を含む。メモリは、登録記録に基づいて、カプセル取り付けイベント検出メッセージが有効であるか否かをプロセッサに判断させる命令も記憶する。メモリは、カプセル取り付けイベント検出メッセージが有効である場合、プロセッサに、プロセッサから計算デバイス又は気化器識別子に関連付けられた気化器の一方に信号を送信させて、使用のために気化器をアンロックさせる命令も記憶する。メモリは、カプセル取り付けイベント検出メッセージが有効ではない場合、プロセッサに、プロセッサから計算デバイス又は気化器の一方にアラートを送信させる命令も記憶する。
【図面の簡単な説明】
【０００８】
図面の簡単な説明
【図１Ａ】[1007]実施形態による使い捨て気化器の概略ブロック図である。
【図１Ｂ】[1008]実施形態による再使用可能な気化器の概略ブロック図である。
【図２】[1009]幾つかの実施形態による気化器セキュリティ及び／又はトレーサビリティを管理するシステムの図である。
【図３Ａ】[1010]実施形態による気化器サプライチェーンの流れ図である。
【図３Ｂ】[1011]図３Ａの気化器サプライチェーンの種々のイベント中、コマンドセンタにより収集されたデータ例を示す図である。
【図４】[1012]幾つかの実施形態による気化器セキュリティ及び／又はトレーサビリティを管理する方法を示す。
【発明を実施するための形態】
【０００９】
詳細な説明
[1013]  電子たばこ（「ｅ−ｃｉｇｓ」）等の電子蒸気送達システム（「蒸気デバイス」又は「気化器」とも呼ばれる）の人気及び商業的関心が高まり続けるにつれて、それらの製造及び流通は、よりグローバルに広がりつつある。しかしながら、多くの法域で規制が依然としてまとめられておらず、法域にわたり広く異なる。一部の法域では、蒸気デバイス及びその担体（通常、液体）について規格化及び品質制御が要求される。さらに、市場における偽造蒸気デバイスは、安全上の問題を消費者に呈し、消費者の不信及びブランドの希薄化に繋がる恐れがある。したがって、製造業者及び流通者等のサプライチェーン参加者は、製品の安全性、真正性及びトレーサビリティを保証するように奨励されている。そのような目的を達成するシステム及び方法が本明細書に記載される。
【００１０】
[1014]  図１Ａは、実施形態による使い捨て（又は「１回使用」）気化器の概略ブロック図である。図１Ａに示されるように、使い捨て気化器１００Ａは、マウスピース１０２と、前駆体リザーバ１０４、流体チャネル１０６Ａ（例えば、マイクロ流体又は他の通路）、１つ又は複数のチャンバ１０６Ｂ、電源１０８、メモリ１１０、入力／出力モジュール１１１、加熱要素１２０、電子回路１２２及びプロセッサ１２４を含み、これらは、全て共通の（例えば、モノリシックな）筐体１０１内に配置される。任意選択的に、使い捨て気化器１００Ａは、全て共通の筐体１０１内に配置されたセンサ１１４、添加剤１１６、メンブレン１１８、インジケータ１１２及び識別子１２３の１つ又は複数も含む。
【００１１】
[1015]  マウスピース１０２は、セラミック、耐熱性プラスチック、陽極酸化アルミニウム又は任意の他の適した材料の１つ又は複数を含むことができる。電源１０８は、例えば、高ドレイン特性を有する任意の適した電池又は燃料電池を含むことができる。前駆体リザーバ１０４は、マウスピース、１つ又は複数のチャンバ１０６Ｂ（例えば、蒸気膨張チャンバ）及び流体チャネル１０６Ａの少なくとも１つと流通して、使用中、例えば圧力センサを使用してマウスピースをユーザが吸う／吸引することに応答した担体加熱のトリガーを促進することができる。代替又は追加として、気化器１００Ａは、加熱をトリガーする空気流センサ信号に応答して担体を加熱するように構成することができる。例えば、ユーザがマウスピースを吸引すると、空気流センサは、加熱要素をオンにすることができる。代替又は追加として、気化器１００Ａは、ユーザが作動させて担体の加熱及び気化をトリガーすることができる機械的インターフェース（例えば、ボタン）を含むことができる。
【００１２】
[1016]  メモリ１１０は、電子情報を記憶することが可能な任意の電子構成要素を含むことができる。メモリという用語は、ランダムアクセスメモリ（ＲＡＭ）、読み取り専用メモリ（ＲＯＭ）、不揮発性ランダムアクセスメモリ（ＮＶＲＡＭ）、プログラマブル読み取り専用メモリ（ＰＲＯＭ）、消去可能プログラマブル読み取り専用メモリ（ＥＰＲＯＭ）、電子的消去可能ＰＲＯＭ（ＥＥＰＲＯＭ）、フラッシュメモリ、磁気又は光学データ記憶装置、レジスタ等の種々のタイプのプロセッサ可読媒体を指し得る。メモリは、プロセッサがメモリから情報を読み取り及び／又はメモリに情報を書き込むことができる場合、プロセッサと電子通信すると言える。プロセッサと一体化されたメモリは、プロセッサと電子通信する。
【００１３】
[1017]  入力／出力モジュール１１１は、蒸気生成を生じさせる押しボタン制御機構、電池インジケータ、充電及び／又はデータ通信用の電子機械コネクタ、光源（例えば、１つ又は複数の発光ダイオード）等の１つ又は複数を含むことができる。加熱要素１２０は、コイルヒータ、ロッド形ヒータ、パンケーキヒータ、化学ヒータ又は担体材料を加熱するのに適したサイズ、寸法及び材料で構成された任意の他のヒータを含むことができる。電子回路１２２は、ＧＰＳ受信機、アンテナ、ヒータ制御回路又はコマンドセンタ（図２を参照して以下に示され、説明される）及び／又は他のリモート計算デバイス（ユーザのモバイルデバイス等）と無線（例えば、Bluetooth）通信するための送信機若しくは送受信機の１つ又は複数を含むことができる。センサ１１４は、圧力センサ、温度センサ、位置センサ、向きセンサ等の１つ又は複数を含むことができる。識別子１２３は、気化器１００Ａを識別するように構成された任意の適したデータ（例えば、シリアルナンバー、バーコード、ＱＲコード（登録商標）、メモリに記憶されたコード、気化器１００Ａの追跡構成要素に割り当てられ、メモリに記憶されたチップ識別子及び／又は例えばＲＦＩＤタグにより送信される信号に含まれる識別情報）を含むことができ、気化器１００Ａを外部デバイス（例えば、充填ステーション及び／又はリモート計算デバイス）により識別及び／又は認識し得るように、気化器の識別情報を記憶するか又は表すように構成された任意の構成要素（例えば、ＲＦＩＤタグ等の近距離通信（ＮＦＣ）、バーコード又はＱＲコードを含むラベル、メモリに記憶されたコード又は署名を含む追跡構成要素（例えば、気化器の追跡構成要素に割り当てられたチップ識別子に基づくデジタル署名）等）に含まれ得る。幾つかの実装形態では、識別子１２３は、製造中（又は製造完了時）、充填中（又は充填完了時）又はユーザに保有されているとき（例えば、ユーザのモバイルデバイスにより、例えばユーザのカメラを使用して、モバイルデバイスに記憶されたソフトウェアアプリケーションを介してスキャンされる）の１つ又は複数でスキャンされる又は読み取られる。したがって、識別子は、気化器（及び／又はその構成要素）の登録、識別又は妥当性確認の１つ又は複数に使用することができる。
【００１４】
[1018]  プロセッサ１２４は、汎用プロセッサ、中央演算処理装置（ＣＰＵ）、マイクロプロセッサ、デジタル信号プロセッサ（ＤＳＰ）、コントローラ、マイクロコントローラ、状態機械等の１つ又は複数を含むことができる。幾つかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）等を指し得る。「プロセッサ」という用語は、処理デバイスの組合せ、ＤＳＰ及びマイクロプロセッサの組合せ、複数のマイクロプロセッサ、ＤＳＰコアと併せた１つ又は複数のマイクロプロセッサ又は任意の他のそのような構成を指し得る。
【００１５】
[1019]  添加剤１１６は、１つ又は複数の風味材料を含むことができる。メンブレン１１８は、気化器１００Ａ（例えば、筐体１０１により画定される開口部内）の外面に配置することができ、メンブレン１１８を介して担体材料及び／又は添加剤をリザーバ１０４に供給することができるように置かれ得る。メンブレン１１８は、例えば、ゴム、ポリ塩化ビニル（ＰＶＣ）等を含む弁付き不透過性又は半透過性材料を含むことができる。インジケータ１１２は、照明源（例えば、１つ又は複数の発光ダイオード）、スピーカ、表示画面、振動構成要素（例えば、振動モータ又は圧電振動要素）等の１つ又は複数を含むことができる。
【００１６】
[1020]  幾つかの実施形態では、使い捨て気化器１００Ａは、ユーザがマウスピースを吸う又は吸引すると、その結果生じた気化器１００Ａ内の圧力変化がセンサ１１４のセンサ（例えば、圧力センサ）により測定されるように構成される。センサ１１４が圧力変化（例えば、閾値圧力変化を超える又は閾値圧力レベルへの）を検知したことに応答して、プロセッサ１２４は、電子回路１２２のヒータ制御回路を作動させて、担体材料又は担体材料の少なくとも一部を含むウィック材料に接触しているか又はその十分近くにある加熱要素に電流を通して、担体材料の一部を揮発させることができる。電流又は加熱要素を通る電流の送達に影響する１つ又は複数の特性（例えば、電圧、ワット数）は、例えば、センサ１１４の温度センサにより測定される周囲温度、加熱要素の抵抗及び／又は担体材料に関連付けられた加熱プロファイル若しくはターゲット温度範囲（例えば、プロセッサ１２４により特定され、及び／又は使用前にプロセッサ１２４に提供される）に基づいてプロセッサ１２４により制御することができる。揮発した担体材料又は蒸気は、気化器から出てユーザに吸入されるまで、膨張チャンバの１つ又は複数及び流体チャネルの１つ又は複数を介してマウスピースに向かって移動する。幾つかの実施形態では、使い捨て気化器１００Ａは、モバイルデバイスが使い捨て気化器１００Ａの１つ又は複数の動作を制御することができるように、例えばBluetooth又はWifiを介してモバイルデバイス（例えば、携帯電話、タブレット又はコンピュータ）に結合することができる。例えば、モバイルデバイスは、ロックされているとき、プロセッサ１２４がヒータ制御回路を作動させず、アンロックされているとき、プロセッサ１２４がヒータ制御回路を作動させることができるように使い捨て気化器１００Ａをロック及び／又はアンロックすることができる。幾つかの実施形態では、使い捨て気化器１００Ａは、使い捨て気化器１００Ａに関連付けられたモバイルデバイスからの承認なしではヒータ制御回路をトリガーするように動作しない。例えば、幾つかの実施形態では、ユーザが、（例えば、吸引をマウスピースに適用するか、又は機械的インターフェース（例えば、ボタン）を作動させることを介して、担体材料の加熱及び気化に向けて使い捨て気化器１００Ａを作動させようとするたびに、使い捨て気化器１００Ａは、使い捨て気化器１００Ａが関連付けられたモバイルデバイス及び／又はコマンドセンタからの動作への承認を要求することができる。次に、使い捨て気化器１００Ａは、使い捨て気化器１００Ａがアンロックメッセージをモバイルデバイス及び／又はコマンドセンタから受信する場合にのみ、担体材料を加熱し、気化させるように動作することができる。幾つかの実施形態では、使い捨て気化器１００Ａは、使い捨て気化器１００Ａをモバイルデバイスに最初に結合するときにのみ、初期アンロックメッセージを要求する。幾つかの実施形態では、使い捨て気化器１００Ａ及び／又はモバイルデバイスは、モバイルデバイスがアンロックメッセージを使い捨て気化器１００Ａに送信する前に使い捨て気化器１００Ａの識別子１２３をコマンドセンタに送信して、使い捨て気化器１００Ａを認証するように構成することができる。幾つかの実施形態では、コマンドセンタは、識別子１２３を由来記録又はデータベースと比較して、識別子１２３が特定のソースに関連付けられているか否かを判断することにより、識別子１２３を認証することができる。幾つかの実施形態では、コマンドセンタは、識別子１２３を分析して、使い捨て気化器１００Ａについての情報（例えば、ソース情報又は充填データ）を特定することにより、識別子１２３を認証することができる。
【００１７】
[1021]  図１Ｂは、実施形態による再使用可能な気化器１００Ｂの概略ブロック図である。図１Ｂに示されるように、再使用可能な気化器１００Ｂは、ペン部１２６Ａ及びカプセル部１２６Ｂを含む。再使用可能な気化器１００Ｂのペン部１２６Ａ及びカプセル部１２６Ｂは、集合的に、上述した気化器１００Ｂの構成要素と構造及び／又は機能が同じ又は同様の構成要素を含むことができる。例えば、カプセル部１２６Ｂ（「カートリッジ」、「カプセル組立体」又は「カプセル」とも呼ばれる）は、マウスピース１０２、前駆体リザーバ１０４、１つ又は複数の流体チャネル１０６Ａ、１つ又は複数のチャンバ１０７、加熱要素１２０、メンブレン１１８、入力／出力モジュール１１１Ａ、識別子１２３、任意選択的にセンサ１１４及び任意選択的に添加剤１１６を含み、これらは、全てカプセル筐体１０１Ｂ内に配置される。ペン部１２６Ａ（「ペン」とも呼ばれる）は、全てペン筐体１０１Ａ内に配置された流体チャネル１０６Ｂ、電源１０８、メモリ１１０、入力／出力モジュール１１１Ｂ、電子回路１２２、プロセッサ１２４、入力／出力モジュール１１１Ｂ並びに任意選択的にインジケータ１１２及びセンサ１１３を含む。ペン部１２６Ａは、カプセル１２６Ａと係合するように構成されたインターフェース（例えば、電子回路１１２の一部を含む）を含むことができる。インターフェースは、例えば、プリント回路基板（プロセッサ１２４、メモリ１１０及び／又は他の電子回路１２２に結合し得る）に結合又は含まれ、プロセッサ１２４が、カプセル１２６Ｂのメモリに含まれた情報を受信することができるように、カプセル１２６Ｂと係合するように構成されたコネクタ（例えば、ポゴピン）を含むことができる。ペン部１２６Ａ（すなわちペン筐体１０１Ａ及びその内容物）は、気化器１００Ｂの「電池部」と呼ぶこともできる。
【００１８】
[1022]  カプセル１２６Ｂは、ペン１２６Ａとは別個に製造、出荷及び／又は販売することができ、ユーザにより組み立てられて気化器１００Ｂを形成することができる。気化器１００Ｂを組み立てるために、ユーザは、使用前（例えば、新しいカプセルの購入時）、カプセル１２６Ｂを気化器１００Ｂのペン部１２６Ａに接続し得る。カプセル１２６Ｂ及びペン部１２６Ａは、例えば、ねじ取り付け、圧入取り付け、スナップ嵌め取り付け、磁気取り付け又は任意の他の適した接続手段の１つ又は複数により機械的及び電気的に接続されるように構成することができる。上記から推測することができるように、ペン１２６Ａは、気化器１００Ｂの再使用可能部分として見なすことができ、カプセル１２６Ｂは、気化器１００Ｂの使い捨て又は「交換可能な」部分と見なすことができる。
【００１９】
[1023]  識別子１２３は、気化器１００Ａを識別するように構成された任意の適したデータ（例えば、シリアルナンバー、バーコード、ＱＲコード、メモリに記憶されたコード、メモリに記憶された認証署名が基づくチップに割り当てられた識別子（例えば、製造中、チップにプリントされる）及び／又は例えばＲＦＩＤタグにより送信される信号に含まれる識別情報）を含むことができ、外部エンティティ又はデバイス（例えば、製造ステーション、充填ステーション、モバイルデバイス等）及び／又はペン部１２６Ａが気化器１００Ａを識別及び／又は認識し得るように、気化器の識別情報（例えば、バーコード又はＱＲコードを含むラベル、ＲＦＩＤタグ等の近距離通信（ＮＦＣ）デバイス、メモリに記憶されたコード又は認証署名を含む追跡構成要素等）を記憶するか又は表すように構成された任意の構成要素に含めることができる。幾つかの実施形態では、カプセル１２６Ｂは、第１の識別子１２３Ａ（第１のカプセル識別子とも呼ばれる）及び第２の識別子１２３Ｂ（第２のカプセル識別子とも呼ばれる）を含むことができる。第１の識別子１２３Ａは、例えば、カプセル１２６Ｂのリザーバ１０４を担体材料で充填するように構成されたフィリングステーションにより読み取られるか又はスキャンされるように構成することができる。第２の識別子１２３Ｂは、例えば、ペン１２６Ａのプロセッサ１２４により読み取られるか又はスキャンされるように構成することができる。第１の識別子１２３Ａは、視覚的識別子及び／又はカプセル１２６Ｂのパッケージに置かれるか又は関連付けられた識別子であり得、第２の識別子１２３Ｂは、電子識別子であり得る。第１の識別子１２３Ａは、例えば、ＱＲコード又はバーコードであり得、カプセル１２６Ｂの外面に固定されたラベルに表示することができる。第２の識別子１２３Ｂは、例えば、カプセル１２６Ｂのメモリに書き込まれた認証署名が基づく、製造中にカプセルに割り当てられる（例えば、カプセルにプリントされる）識別子であり得、例えばカプセル１２６Ｂ内に含まれ、メモリを含む追跡構成要素に含まれ得る。第１の識別子１２３Ａ及び第２の識別子１２３Ｂの両方は、関連付けられた特定のカプセル１２６Ｂに一意であり得る（すなわち、ペン１２６Ａに結合するように構成された各カプセル１２６Ｂは、別個の第１の識別子１２３Ａ及び第２の識別子１２３Ｂを有することができる）。
【００２０】
[1024]  幾つかの実施形態では、ペン１２６Ａのプロセッサ１２４は、カプセル１２６Ｂをペン部１２６Ａのインターフェースに取り付ける（例えば、カプセル１２６Ｂとペン部１２６Ａとの間に機械的かつ電気的接続を確立することを介して）とき、プロセッサ１２４が追跡構成要素のメモリと電子通信することができるように、カプセル１２６Ｂの追跡構成要素に結合されるように構成することができる。プロセッサ１２４は、追跡構成要素のメモリから情報を読み取り、及び／又は追跡構成要素のメモリに情報を書き込むように構成することができる。追跡構成要素は、例えば、集積回路（例えば、特定用途向け集積回路（ＡＳＩＣ））であり得る。追跡構成要素は、メモリを含むことができ、カプセル１２６Ｂに関連するデータを含むように構成することができる。幾つかの実装形態では、追跡構成要素１２８は、プロセッサ１２４がカプセル１２６Ｂを認識することができ、カプセル１２６Ｂ及び／又はカプセル１２６Ｂの内容物についての情報をプロセッサ１２４により追跡構成要素１２８から受信することができるように、カプセル１２６Ｂに対応するカプセル識別情報を含み得る。例えば、プロセッサ１２４は、カプセル１２６Ｂのメモリに記憶された第２の識別子１２３Ｂを読み取ることができる。
【００２１】
[1025]  幾つかの実施形態では、プロセッサ１２４は、ファームウェアをプログラム的に使用して、１つ又は複数の暗号化方法を使用してカプセル１２６Ｂの認証を実行することができるように、プロセッサ１２４の製造フェーズ中、ファームウェアがロードされるように構成することができる。例えば、幾つかの実装形態では、識別子１２３は、秘密鍵に基づくことができる、カプセル１２６Ｂの追跡構成要素（例えば、チップ）のメモリに記憶されたデジタル署名（認証署名とも呼ばれる）を含むことができる。幾つかの実装形態では、追跡構成要素のメモリに記憶されたデジタル署名は、秘密鍵及び追跡構成要素にプリントされた（例えば、追跡構成要素の製造中）一意の識別子１２３（例えば、チップ一意識別子又はチップ一意ＩＤとも呼ばれる変更不可能な一意の識別子）に基づくことができる。プロセッサ１２４のファームウェアは、秘密鍵に関連付けられた公開鍵及び認証モジュールを使用し、デジタル署名及び追跡構成要素の一意の識別子１２３にアクセスし、公開鍵を使用してカプセル１２６Ｂの追跡構成要素に書き込まれたデジタル署名を検証して、カプセル１２６Ｂ及び／又はカプセル１２６Ｂのソースの真正性を検証するように構成することができる。例えば、プロセッサ１２４は、追跡構成要素のメモリに記憶された署名及び公開鍵（例えば、ペン１２６Ａのメモリ１１０に記憶される）をチップ一意ＩＤと比較することができる。次に、プロセッサ１２４は、署名及び公開鍵がチップ一意ＩＤと一致するものであるか否かに基づいて、カプセル１２６Ｂを認証するか否かを判断することができる。カプセル１２６Ｂの真正性の検証に認証の任意の適した方法又はアルゴリズムが使用可能である。例えば、幾つかの実装形態では、気化器１００Ｂは、楕円曲線デジタル署名アルゴリズム（ＥＣＤＳＡ）法を使用してカプセル１２６Ｂ及び／又はペン１２６Ａを認証することができる。幾つかの実装形態では、ペン１２６Ａがカプセル１２６Ｂを真正であると判断しない場合、ペン１２６Ａは、カプセル１２６Ｂを拒絶することができる（例えば、カプセル１２６Ｂ中の担体材料が気化されないように、ペン１２６Ａ及び／又はカプセル１２６Ｂの加熱制御回路のアクティブ化を開始することをディセーブルするか、又は開始しない）。
【００２２】
[1026]  幾つかの実装形態では、カプセル１２６Ｂの追跡構成要素のメモリにアクセスすることができ、第２の（例えば、電子）識別子１２３Ｂは、製造中（又は製造完了時）、充填中（又は充填完了時）又はユーザに保有されているとき（例えば、カプセル１２６Ｂをペン１２６Ａに係合したとき）の１つ又は複数で読み取ることができる。幾つかの実装形態では、カプセル１２６Ｂの第１の識別子１２３Ａ（例えば、視覚的識別子又はＮＦＣ識別子）（例えば、カプセル１２６Ｂの外面に固定されたＱＲコード）は、製造中（又は製造完了時）、充填中（又は充填完了時）又はユーザに保有されているとき（例えば、ユーザのモバイルデバイスにより、例えばユーザのカメラを使用して、モバイルデバイスに記憶されたソフトウェアアプリケーションを介してスキャンされる）の１つ又は複数でスキャンすることができる。したがって、追跡構成要素のメモリに書き込まれ、記憶された第２の識別子１２３Ｂ及び第１の識別子１２３Ａ（例えば、カプセル１２６Ｂの外面に固定された識別子１２３）は、気化器１００Ｂ（及び／又はカプセル１２６Ｂ等のその構成要素）の登録、識別又は妥当性確認の１つ又は複数に個々に又はまとめて使用することができる。
【００２３】
[1027]  幾つかの実施形態では、カプセル１２６Ｂの追跡構成要素１２８に含まれるメモリは、識別子１２３（例えば、認証署名が基づき得るカプセル１２６Ｂに割り当てられた一意の識別子）及び／又は認証署名をメモリに書き込むことができるように、例えば初期製造フェーズ又は充填フェーズにおいて構成することができる。例えば、製造ステーションは、別個の第２の識別子１２３Ｂ（例えば、カプセル１２６Ｂに割り当てられた一意の識別子）及び／又はデジタル署名を、製造ステーションにより生成された各カプセル１２６Ｂの追跡構成要素のメモリに書き込むことができ、デジタル署名は、追跡構成要素にプリントされた一意の識別子及び製造ステーションに記憶された秘密鍵に基づくことができる。幾つかの実施形態では、各カプセル１２６Ｂは、製造ステーションにより生成された全ての他のカプセル１２６Ｂと比較して異なる認証署名（例えば、少なくとも部分的に、製造中に個々の各カプセルの追跡構成要素に割り当てられる一意の識別子に基づく）がメモリに書き込まれる。さらに、製造ステーション又は別の製造ステーションは、例えば、ＱＲコード若しくはバーコードを含むラベルを固定すること又はＲＦＩＤチップをカプセル１２６Ｂに設置することを介して、第１の識別子１２３Ａをカプセル１２６Ｂに適用することができる。第２の識別子１２３Ｂ（例えば、認証署名が基づき得る、カプセル１２６Ｂに割り当てられた一意の識別子）及び第１の識別子１２３Ａ（例えば、カプセル１２６Ｂの外面に固定されたＱＲコード）は、例えば、リモートコマンドセンタに送信され、コマンドセンタのメモリに記憶されることにより互いに関連付けることができる。したがって、各カプセル１２６Ｂは、各カプセルの第１の識別子１２３Ａ及び第２の識別子１２３Ｂを記憶することにより、コマンドセンタのメモリに登録することができる。
【００２４】
[1028]  幾つかの場合、充填機ステーションは、カプセル１２６Ｂを受け取り、第１の識別子１２３Ａを読み取ることができる。例えば、充填機ステーションは、カプセル１２６Ｂのリザーバ１０４を充填する前、その間中又はその後、カプセル１２６Ｂの外面に固定されたＱＲコードをスキャンすることができる。幾つかの実装形態では、充填機ステーションは、次に、カプセル１２６Ｂに関連付ける情報（例えば、リザーバ１０４に追加された担体に関連する情報）をコマンドセンタに送信して、第１の識別子１２３Ａ（例えば、ＱＲコード）と関連付けることができる。幾つかの実装形態では、充填機ステーションは、充填機ステーションがコマンドセンタに送信した第１の識別子１２３Ａに基づいてコマンドセンタにより提供された命令に従い、カプセル１２６Ｂを充填することができる。コマンドセンタは、カプセルに関連付けられた情報を第１の識別子１２３Ａ及び／又は第２の識別子１２３Ｂ（カプセル１２６Ｂの製造中又は後、コマンドセンタに提供されていることもできる）に関連付けることができる。コマンドセンタは、情報（例えば、充填情報）を由来記録又はデータベースに記憶することができる。
【００２５】
[1029]  幾つかの実施形態では、充填機ステーションは、カプセル１２６Ｂを受け取り、カプセル１２６Ｂに含まれたメモリにアクセスし、カプセル１２６Ｂに含まれたメモリに記憶された識別子１２３を読み取ることができる。例えば、カプセル１２６Ｂに含まれたメモリは、本明細書にさらに詳述するように、充填フェーズにおいて充填機ステーション（本明細書では「充填ステーション」又は「フィリングステーション」とも呼ばれる）によりアクセスすることができる。幾つかの場合、充填ステーションは、カプセル１２６Ｂに含まれたメモリに記憶された識別子１２３を読み取り、識別子１２３を使用してカプセル１２６Ｂの識別情報及び／又は真正性を検証し、カプセル１２６Ｂを特定の充填データ（例えば、充填ステーションが、カプセル１２６Ｂに関連付けられた充填データ及び／又は識別子１２３を要求したことに応答してコマンドセンタから受信される）に関連付けることができる。幾つかの場合、充填機ステーションは、充填データに基づいて適切な担体をカプセル１２６Ｂに充填することができる。幾つかの実施形態では、充填が完了すると、充填機ステーションは、カプセル１２６Ｂに含まれたメモリにアクセスし、コマンドセンタから受信され、及び／又はカプセル１２６Ｂのリザーバ１０４の充填に使用された充填データ（例えば、担体材料、充填のバッチ等）に関連付けられた識別子（例えば、担体識別子）をメモリに書き込むことができる。幾つかの実装形態では、充填ステーション及び／又はコマンドセンタにより、カプセル識別子１２３を充填データ及び／又は担体識別子に関連付けることができる。幾つかの実装形態では、充填ステーションは、充填完了後、充填データ及び／又は担体識別子をカプセル１２６Ｂに含まれるメモリに書き込み、記憶することができる。幾つかの場合、充填データ及び／又は担体識別子を、カプセル１２６Ｂに含まれたメモリに書き込むことは、カプセル１２６Ｂの充填前又は充填中に実行することができる。
【００２６】
[1030]  図２は、幾つかの実施形態による気化器セキュリティ及び／又はトレーサビリティを管理するシステムの図である。図２に示されるように、システム２２０は、充填機ステーション２２５、ユーザ２２６の気化器２２２及びユーザ２２６のモバイルデバイス２２８Ａ及び／又は計算デバイス２２８Ｂ（例えば、ラップトップ又はデスクトップコンピュータ）と無線ネットワーク通信するコマンドセンタ２２４（例えば、クラウドベースのサーバ及び／又は中央サーバ等）を含む。充填機ステーション２２５は、プロセッサ２３２に動作可能に結合されたメモリ２３０を含む。メモリ２３０は、担体調剤、担体由来、カプセル適合性、充填機ステーション２２５で充填されたカプセル（例えば、カプセル識別子）、充填機ステーション保守履歴、充填機ステーション保守スケジュール及び担体調合圧力、担体調合温度、担体調合持続時間、担体調合容量等の充填設定の１つ又は複数に関連付けられたデータ（例えば、データ記録を記憶したデータベーステーブルの形態における）を記憶することができる。充填機ステーション２２５は、プロセッサ２３２及びメモリ２３０に動作可能に結合された送受信機２３４も含む。送受信機２３４は、充填機ステーション２２５とコマンドセンタ２２４との間の通信を促進する。例えば、充填機ステーション２２５は、充填データ２４２をコマンドセンタ２２４に送信し得る。充填データの例には、限定ではなく、カプセルタイプ、カプセル容量、担体タイプ、担体量、担体の出所／由来、担体構成濃度、充填日／時スタンプ、充填状況等の１つ又は複数の識別子がある。
【００２７】
[1031]  幾つかの実施形態では、充填機ステーション２２５は、上述したように、カプセルに含まれるメモリに読み出し及び／又は書き込みを行うように構成することができる。幾つかの実装形態では、充填機ステーション２２５は、未充填カプセルに含まれるメモリに記憶された未充填カプセルの識別子（例えば、認証コード又は署名）を読み出すことができる。幾つかの実装形態では、充填機ステーション２２５は、各カプセルに特定の担体材料を充填し、特定の担体材料が充填されたそのカプセルに含まれるメモリにアクセスし、充填完了時、そのカプセルに充填された特定の担体材料に関連付けられた担体識別子を書き込み、したがって充填済みカプセルに含まれる担体に関連するデータ（例えば、担体調剤、担体由来、カプセル適合性等）で充填済みカプセルをマーキングすることができる。このマーキングは、本明細書に記載されるように、使用前、カプセルの真正性を検証するために使用することができる。幾つかの実装形態では、充填機ステーションは、カプセルを登録し、充填された担体材料の識別子とカプセルの識別子との間の関連性を記憶することができる。幾つかの実装形態では、記憶された鍵又は暗号署名を使用したカプセルの認証は、検証の一次方法として機能することができ、担体材料充填後のカプセルの登録は、カプセルの検証の第２の方法として機能することができる。幾つかの実装形態では、カプセルの認証及び／又は登録は、カプセルが気化器のペンに挿入又は結合されたときに検証することができる。幾つかの実装形態では、カプセルの認証及び／又は登録は、カプセルの各挿入時に検証することができる。幾つかの実装形態では、カプセルの認証及び／又は登録は、揮発物質の吸入に向けてカプセルが使用されるたびに検証することができる。幾つかの実装形態では、カプセルの認証及び／又は登録は、気化器がコマンドセンタ２２４及び／又は計算デバイス２２８Ａ又は２２８Ｂと接続されるたびに検証することができる。コマンドセンタ２２４は、プロセッサ２３８に動作可能に結合されたメモリ２３６と、充填機ステーション２２５、ユーザの気化器２２２及びユーザのモバイルデバイス２２８Ａ及び／又は計算デバイス２２８Ｂとの無線ネットワーク通信を促進するように構成された送受信機２４０とを含む。例えば、蒸気デバイス登録及び／又は蒸気デバイス妥当性確認２４４ａに関連するメッセージをコマンドセンタ２２４と気化器２２２との間で交換することができる。代替又は追加として、ユーザ登録、蒸気デバイス登録及び／又は蒸気デバイス妥当性確認に関連するメッセージ２４４ｂをコマンドセンタ２２４とユーザの計算デバイス２２８Ｂとの間で交換することができる。代替又は追加として、ユーザ登録、蒸気デバイス登録及び／又は蒸気デバイス妥当性確認に関連するメッセージ２４４ｂをコマンドセンタ２２４とユーザのモバイルデバイス２２８Ａとの間で交換することができる。
【００２８】
[1032]  メモリ２３６は、ソフトウェアアプリケーション（「アプリ」）２３６ａを記憶する。幾つかの実装形態では、コマンドセンタ２２４の管理者は、無線又は有線ネットワーク通信する計算デバイスのグラフィカルユーザインターフェース（ＧＵＩ）を介してレンダリングされたアプリの管理者ビューを介してソフトウェアアプリ２３６と対話し、ユーザは、コマンドセンタ２２４と無線ネットワーク通信するユーザの計算デバイスのグラフィカルユーザインターフェース（ＧＵＩ）を介してレンダリングされたアプリのユーザビューを介してソフトウェアアプリ２３６と対話する。アプリ２３６ａは、トラックモジュール２３６ｂ及び／又はトレースモジュール２３６ｃ等の１つ又は複数のソフトウェアモジュールを含むことができる。
【００２９】
[1033]  トラックモジュール２３６ｂは、プロセッサ２３８に、１つ又は複数の気化器構成要素（例えば、図１Ｂのそれぞれカプセル１２６Ｂ及びペン１２６Ａ等のカプセル又は気化器ペン）、気化器２２２及び／又は気化器２２２のユーザの１つ又は複数の計算デバイス（例えば、モバイルデバイス２２８Ａ又は計算デバイス２２８）の同時（例えば、リアルタイム又は実質的にリアルタイム）の場所情報を取得させる命令を含むことができる。そのような場所は、例えば、上記デバイスの１つ又は複数に問い合わせる（例えば、全地球測位センサ（ＧＰＳ）受信機等のデバイスの１つ又は複数の関連付けられたオンボード場所センサを介して）ことにより取得することができる。トラックモジュール２３６ｂは、プロセッサ２３８に、場所情報を記憶させ、任意選択的に場所情報を無線ネットワークの１つ又は複数の要求側（例えば、モバイルデバイス２２８Ａ又は第三者等のリモート計算デバイスに関連付けられた要求側）に送信させる命令を含むこともできる。
【００３０】
[1034]  例えば、１つ又は複数の担体材料に含まれ得、気化器２２２を介して消費可能であり得る幾つかの物質（例えば、規制物質）は、特定の地理的場所で合法的に消費され得る一方、他の地理的場所では、それらの物質の消費は、法的に許されていないことがある。トラックモジュール２３６ｂは、既知の規制物質を含む特定の担体材料を含むと識別されたカプセル及び／又は気化器２２２に関連付けられた同時場所情報を受信することができる。幾つかの実装形態では、トラックモジュール２３６ｂは、特定の物質の消費に関して場所ベースの許可及び／又は制限に関する情報にアクセスすることができる。場所ベースの制限情報、カプセル又は気化器２２２の場所及びカプセル又は気化器２２２内の担体材料に含まれる構成物質に関する情報に基づいて、トラックモジュール２３６ｂは、カプセル内の担体材料を気化させる気化器２２２の動作が許可されているか否かを判断することができる。次に、プロセッサ２３８は、判断に基づいて、送受信機２４０を介して命令を気化器２２２及び／又は計算デバイス２２８Ａ又は２２８Ｂに送信することができる。例えば、命令は、ユーザ及び／又は気化器２２２の有効化により、気化器２２２の使用を許可することができるか、又はユーザ及び／又は気化器２２２を有効化しないことにより、気化器２２２の使用をブロック又はディセーブルすることができる。
【００３１】
[1035]  幾つかの実装形態では、ユーザ及び／又は気化器２２２の妥当性確認は、物質を消費するために気化器２２２を使用するたびに（すなわちユーザが気化器のマウスピースを通して空気及び／又はエアロゾルを吸い込む使用のたびに）行われ得る。幾つかの実装形態では、ユーザ２２６及び／又は気化器２２２の妥当性確認は、ユーザ２２６（例えば、計算デバイス２２８Ａ又は２２８Ｂを介して）及び／又は気化器２２２がコマンドセンタ２２４に接続するたびに、ユーザ２２６が気化器２２２に関連付けられたソフトウェアアプリケーションと対話するたびに、及び／又は所定の間隔で行うことができる。幾つかの場合、トラックモジュール２３６ｂは、規制物質を含む気化器２２２の場所に関する更新された情報を受信し、更新された場所情報に基づいて、トラックモジュール２３６ｂは、使用許可に関する命令を更新することができる。例えば、更新された場所情報に基づいて、トラックモジュール２３６ｂは、ユーザ２２６及び／又は気化器２２２を妥当性確認することにより、ブロックされた気化器２２２の使用をアンブロックすることができる。
【００３２】
[1036]  トレースモジュール２３６ｃは、プロセッサ２３８に、１つ又は複数の気化器構成要素（例えば、図１Ｂのそれぞれカプセル１２６Ｂ及びペン１２６Ａ等のカプセル又は気化器ペン）、気化器２２２及び／又は気化器２２２のユーザ２２６の１つ又は複数の計算デバイス（例えば、モバイルデバイス２２８Ａ又は計算デバイス２２８）の製造及び移動に関連付けられた履歴データを要求、記憶及び／又は送信させる命令を含むことができる。換言すれば、トレースモジュール２３６ｃは、（任意選択的にトラックモジュール２３６ｂと組み合わせて）１つ又は複数の気化器の生産物流管理を監視して、安全性及び真正性を保証する。履歴データは、担体成分、担体調剤、ニコチン濃度、ニコチン植物遺伝学、ニコチン由来データ（例えば、ニコチンが導出されたタバコ植物、ニコチン植物の生長場所、ニコチン植物の生長及び／又は収穫日等）、カンナビノイド濃度、カンナビノイド由来データ（例えば、カンナビノイドが導出された大麻植物、大麻植物の生長場所、大麻植物に関連付けられた種情報、大麻の種が植えられた日付、大麻植物の生長及び／又は収穫日、カンナビノイドが取得された調剤所等）、有効成分（例えば、薬剤）濃度、大麻植物を担体材料に変換する際に使用された抽出方法（及びその詳細）、非有効成分濃度、気化器の機能（例えば、蒸気生成の物理学、アクティブ化されたとき、気化器により実行されるステップの順序等）及び／又は蒸気が吸入されたときのユーザ内／上への影響に関する詳細等の１つ又は複数を含むことができる。幾つかの実装形態では、履歴データ（又はそのサブセット）は、例えば、ユーザのモバイル計算デバイス及び／又はユーザのラップトップ若しくはデスクトップコンピュータで実行されているソフトウェアアプリケーションを介して、ユーザへの提示に向けてグラフィカルユーザインターフェース（ＧＵＩ）を介してレンダリングされる。
【００３３】
[1037]  幾つかの実装形態では、トレースモジュール２３６ｃは、気化器（例えば、図１Ｂに関して上述した気化器１１０Ｂのペン１２６Ａ）と併用することができるカプセル（例えば、図１Ｂに関して上述したカプセル１２６Ｂ）のリスト又はデータベースを生成し、維持するように構成することができる。幾つかの実装形態では、トレースモジュール２３６ｃは、充填時又は充填後に（例えば、充填機ステーションにより）認証されたカプセルのリスト又はデータベース及び認証されたカプセルに関連付けられたカプセル識別子のリストを維持することができる（任意選択的にトラックモジュール２３６ｂと組み合わせて）。幾つかの実装形態では、トレースモジュール２３６ｃは、第１又は第２の識別子の一方を介して各カプセルを識別することができるように、第２の電子識別子に関連付けられた第１の（例えば、視覚的又はＮＦＣ）識別子のリスト又はデータベースを維持することができる。幾つかの実装形態では、トレースモジュール２３６ｃは、使用に向けて認証及び認可する（例えば、モバイルデバイスによりアンロックする）ことができる（例えば、気化器の識別子が、コマンドセンタ２２４のメモリに記憶された識別子に対応することを検証することにより）使い捨て気化器（使い捨て気化器１００Ａと同様又は同じ）のリスト又はデータベースを維持することができる。
【００３４】
[1038]  幾つかの実装形態では、任意の時点において、カプセルの組及び／又はカプセルに配置された担体材料の組は、欠陥品として識別されるか、又は規制による使用制限（例えば、特定の地域での使用制限又は例えば年齢に基づく特定のユーザグループによる使用制限）を受けることがある。トレースモジュール２３６ｃを使用して、組内の各カプセルに関連付けられたカプセル識別子を含むリコールリスト又はブロックリストを生成することができる。幾つかの実施形態では、トレースモジュール２３６ｃは、リコール識別子を特定のカプセル識別子又は担体識別子に関連付けることができる。カプセルの検証又は妥当性確認について入ってきた要求がコマンドセンタ２２４により受信されると（例えば、カプセル識別子を含むカプセル取り付けイベント検出メッセージ）、トレースモジュール２３６ｃは、カプセルの識別子がリコールリストにあるか否か、又はリコールフラグ若しくは指示が関連付けられているか否かを判断するように構成することができる。識別子がリコールリストにあると判断された場合、トレースモジュール２３６ｃは、リコールに関連付けられたカプセルの検証をブロックすることができる。したがって、幾つかの実施形態では、例えば、リコールがカプセルの１つのバッチに関連付けられている場合、本明細書に記載のシステムを使用して、気化器ペンとの係合の第１の時点でカプセルが有効化されることをブロックすることができるか、又はカプセルの識別子がリコールリストに配置される前にカプセルが事前に有効化された場合でも、リコール発行に続く時点で更なる有効化からブロックすることができる。
【００３５】
[1039]  幾つかの場合、トレースモジュール２３６ｃは、ユーザ検証要求を受信し、ユーザ特性（例えば、ユーザの年齢）の判断に基づいて、識別子（例えば、特定のユーザグループ及び／又は特定の地理的場所での規制による使用禁止に関連付けられた物質が関連付けられた担体識別子）に関連付けられた特定のカプセルについてユーザの検証をブロックすることができる。例えば、ユーザ妥当性確認又はユーザ検証は、制御センタ２２４によるレビューのために政府発行識別カードの画像をアップロードすることを含むことができる。制御センタ２２４は、画像に基づいてユーザ２２６の年齢を特定することができる。幾つかの実装形態では、トレースモジュール２３６ｃは、特定の物質（例えば、特定の担体識別子に関連付けられた）をユーザによる使用に関して有効化することができ、他の物質を有効化することができない（例えば、規制による年齢制限に基づいて）ように、ユーザ検証に基づいて特定のユーザの物質ブロックを実施するように構成することができる。
【００３６】
[1040]  幾つかの実装形態では、トレースモジュール２３６ｃ及び／又はトラックモジュール２３６ｂは、カプセルに含まれたメモリにステータス更新を書き込む命令を送信するように構成することができる。例えば、トレースモジュール２３６ｃ及び／又はトラックモジュール２３６ｂは、識別子の組に関連付けられたカプセルのバッチのリコールステータスに関連する情報を受信することができる。情報に基づいて、システムは、コマンドセンタ（例えば、コマンドセンタ２２４）が、気化器と併用されるカプセルに含まれたメモリにリコールステータスを書き込む（例えば、リコール識別子を書き込む）命令を気化器（例えば、気化器２２２）に送信することができるように構成することができる。リコールステータスがカプセルのメモリに書き込まれると、気化器は、その特定の使用及びあらゆる後続する気化器へのカプセルの取り付けについてカプセルを拒絶し得る。さらに、カプセルのメモリに書き込まれたリコールステータスは、カプセルが他のあらゆる気化器からも拒絶されるように、カプセルが続けて取り付けられる任意の気化器により読み取られるように構成することができる。図２に示されていないが、システムは、空／未充填カプセルを製造するように構成された１つ又は複数の製造ステーション又は製造ジグを含むことができる。製造ステーションは、各カプセルに含まれたメモリに識別子を記憶し（例えば、識別子に基づく秘密鍵を使用してデジタル署名を書き込み）、及び／又はカプセルの製作及び使用のプロセスにおける下流の種々のステップにおける登録、検証及び／又は妥当性確認のために各カプセルの外面に識別子（例えば、ＱＲコード、バーコード）を配置するように構成することができる。
【００３７】
[1041]  「命令」及び「コード」という用語は、任意のタイプのコンピュータ可読ステートメントを含むものとして広く解釈されるべきである。例えば、「命令」及び「コード」という用語は、１つ又は複数のプログラム、ルーチン、サブルーチン、関数、プロシージャ等を指し得る。「命令」及び「コード」は、単一のコンピュータ可読ステートメント又は多くのコンピュータ可読ステートメントを含み得る。
【００３８】
[1042]  図３Ａは、実施形態による気化器サプライチェーンの流れ図である。図３Ａに示されるように、サプライチェーン３００Ａは、一連のフェーズ（図３Ａでは「Ａ」〜「Ｇ」と記される）を含む。気化器への続く組み込みに向けたタバコ又は大麻等の植物の生長及び収穫に関連する初期の任意選択的なフェーズ（３５０Ａ、フェーズＡ）である。初期製造フェーズ（フェーズ「Ｂ」）中、未充填／空のカプセル（図１Ｂのカプセル１２６Ｂ等）が３５２Ａにおいて製造され、３５４Ａにおいて担体材料（例えば、３５０Ａにおいて収穫された植物の１つ又は複数の部分又は抽出物を組み込む）が生成され、３５６Ａにおいて気化器ペン（図１Ｂのペン１２６Ａ等）が製造される。幾つかの実装形態では、未充填／空のカプセルの製造中又は後、１つ又は複数の識別子をカプセル内又はカプセル上に含めることができる。例えば、第１の識別子（例えば、ＱＲコードを含むラベル）は、各カプセルの外面に固定することができる。第２の識別子は、カプセルに含まれた追跡構成要素のメモリに書き込むことができる。幾つかの実装形態では、第２の識別子は、カプセルに割り当てられた一意の識別子を含むことができ、後に適した認証アルゴリズムを使用してカプセルを認証し、及び／又はカプセルのソースの真正性を検証するために使用することができるデジタル署名は、その一意の識別子に基づく（例えば、秘密鍵を使用して生成する）ことができる。幾つかの実装形態では、空のカプセルは、３５２Ａにおける製造フェーズでメモリに書き込まれたデジタル署名を有することができるメモリを含むことができる。
【００３９】
[1043]  フェーズ「Ｃ」中、製造された空のカプセル、担体材料及びペンは、次のステップ（３５８Ａ、３６０Ａ及び３６２Ａのそれぞれ）に適切な場所に出荷される。例えば、空のカプセル及び担体材料は、充填機ステーションを含む場所に出荷され、気化器ペンは、ベンダー、流通者及び／又はユーザに出荷し得る。
【００４０】
[1044]  フェーズ「Ｄ」中、３６４Ａにおいて空のカプセルに担体材料が充填される（例えば、図２の充填機ステーション２２５等の充填機ステーションにおいて）。幾つかの実装形態では、充填機ステーションは、各カプセルに関連付けられた第１の識別子（例えば、カプセルに取り付けられたＱＲコード又はバーコード等の識別子）を読み取ることができる。例えば、充填機ステーションは、ＱＲコードリーダを使用して、カプセルに取り付けられたラベルを読み取ることができる。充填機ステーションは、カプセル識別子（例えば、コマンドセンタに問い合わせることにより）を使用して、未充填の空のカプセルの真正性を検証（例えば、空のカプセルのシースを検証）し、カプセルに関連付けられた充填データを取得し（例えば、リモートコマンドセンタから）、及び／又は充填データに従って適切な担体材料をカプセルに充填することができる。幾つかの実施形態では、充填機ステーションは、カプセル識別子（例えば、ＱＲコード）を読み取り、担体材料をカプセルに充填し、次にカプセル識別子及び担体材料に関連する充填データ（例えば、担体識別子）をコマンドセンタに送信し、データベースに記憶することができる。
【００４１】
[1045]  幾つかの実施形態では、充填機ステーションは、カプセルに含まれた追跡構成要素のメモリに記憶された識別子を読み取ることができる。例えば、充填機ステーションは、追跡構成要素のメモリにアクセスし、メモリに記憶された認証署名（例えば、チップ及び／又はカプセルに割り当てられた識別子に基づく認証署名）を読み取るように構成されたチップリーダを含むことができる。幾つかの実装形態では、充填機ステーションは、各カプセルに含まれたメモリに、カプセルの真正性の検証及び／又はカプセルに充填された担体材料の識別に使用することができる識別子を書き込むことができる。例えば、幾つかの場合、充填機ステーションは、下流で気化器のペン部が暗号化署名を検証して、カプセルを認証することができるように、暗号化デジタル署名を、充填された各カプセルに含まれたメモリに書き込むことができる。幾つかの場合、カプセルに含まれるメモリに署名を書き込むことは、代替的に、３５２Ａにおいてカプセルの製造フェーズＢにおいて行うことができる（例えば、製造ステーション又は製造ジグにより）。幾つかの実装形態では、充填機ステーションは、担体材料及び／又はカプセルの内容物の識別に使用することができる識別子をメモリに書き込むことができる。例えば、充填機ステーションは、各カプセルに充填された各担体材料のバッチについての情報（例えば、所与の期間で充填されたテトラヒドロカンナビノール（ＴＨＣ）の日付番号付きバッチ）を提供する担体識別子を書き込むことができる。幾つかの場合、充填機ステーションは、ラベル（例えば、カプセル筐体に取り付けられるＱＲコード、バーコード等）の形態でカプセルパッケージに取り付けることができる識別子を生成することができる。
【００４２】
[1046]  幾つかの実装形態では、カプセルが充填された後、カプセルのリザーバ内の担体材料は、テスト及び分析されて、構成成分を特定することができ、その結果生成された情報（例えば、分析証明書の形態）をカプセルに関連付けることができる。情報は、カプセルの使用が意図されるか、又は使用される可能性が高い１つ又は複数の法域の法律によって求められる特定のデータを含み得る。例えば、情報は、カプセルの外面に固定される（例えば、充填機ステーションにより）ラベル（例えば、ＱＲコード等の識別子を含むラベル）に追加することができる。情報は、リモート計算デバイス及び／又はモバイルデバイス（例えば、後にカプセルに結合される気化器ペンに関連付けられたモバイルデバイス）が情報にアクセスすることができるように、コマンドセンタ（図２に関して説明したコマンドセンタ２２４等）のメモリにおいて特定のカプセルに関連付けることもできる。幾つかの場合、情報は、カプセルのメモリに書き込むことができる（例えば、充填機ステーションにより）。
【００４３】
[1047]  幾つかの実装形態では、カプセルに担体材料を充填し、カプセル内の担体材料をテストした後、充填機ステーションは、充填機ステーションがカプセルを識別するために使用する識別子（例えば、カプセルに固定されたＱＲコード）及び充填データ（例えば、カプセルに充填された担体材料の識別情報）を含むデータをコマンドセンタに送信することにより、カプセルを登録することができ、それにより、コマンドセンタは、充填データ及び識別子の関連性をコマンドセンタのメモリに記憶し、メモリ２３６に以前に記憶された（例えば、カプセルの製造業者により受信された後）割り当てられた識別子（例えば、認証署名が以前に基づいた）を充填データに関連付ける。したがって、生成され、充填され、テストされた後、各カプセル並びに各カプセル及び／又は各カプセルのリザーバに配置された担体材料の特性を追跡システム（例えば、トラックモジュール２３６ｂ）に登録することができ、生成された各カプセル及び各特性のデータベースを生成する。例えば、充填機ステーションは、カプセルを認証し（カプセルに記憶されたデジタル署名を使用し、及び／又はカプセルに取り付けられた識別子を使用することにより）、カプセルのメモリに記憶されたデジタル署名に関連付けられた識別子（例えば、製造時にカプセルのチップ又は追跡構成要素に割り当てられる）及び／又はカプセルに充填された担体材料に関連付けられた識別子を、カプセルに取り付けられた識別子（例えば、ＱＲコード）に関連付けることにより、各カプセルの登録を実行することができる。幾つかの場合、カプセルに取り付けられた識別子及びカプセルのメモリに記憶されたデジタル署名に関連付けられた識別子（例えば、デジタル署名を生成するために秘密鍵と共に使用される割り当てられた識別子）及び／又は担体識別子の関連付けは、代替的に、３５２Ａにおいて、カプセルの製造フェーズＢにおいて実行することができる（例えば、製造ステーション又は製造ジグにより）。
【００４４】
[1048]  幾つかの場合、ラベルに含まれ、及び／又はカプセルのメモリに書き込まれた識別子は、コマンドセンタに関連付けられたメモリに記憶され、カプセルの登録、認証、妥当性確認及び／又は任意の他の形態の検証に使用することができる使用前及び／又は使用中）。例えば、上述したように、カプセルのリスト又はデータベースは、カプセルの第１の組が検証され続け、使用に許可され、一方、第２の組をブラックリストに入れるか又はリコールする（例えば、欠陥品又は非真正品であることに起因してリコールされたカプセルのバッチ）ことができ、それにより、ブラックリストに入っているか又はリコールされた識別子に関連付けられたカプセルの、そのカプセルが関連付けられた気化器からの任意の検証要求が検証拒絶されるように、任意の適した情報に基づいて変更及び／又は更新することができる。幾つかの場合、気化器は、そのカプセルとの併用からブロックされ得る。
【００４５】
[1049]  次に、フェーズ「Ｅ」の３６６Ａにおいて、充填されたカプセルは、ペン（フェーズ「Ｂ」から変更されない）ように、例えば１つ又は複数の小売店、流通者及び／又は消費者に出荷される。充填されたカプセル及びペンは、次に、フェーズ「Ｆ」中の３７０Ａ及び３７２Ａにおいてそれぞれ販売される。幾つかの実装形態では、充填されたカプセル及び／又はペンの販売は、フェーズ「Ｅ」における出荷前に行うことができる。
【００４６】
[1050]  ユーザがカプセル及びペン（例えば、別個に販売されるか又は１つのパッケージに組み合わされる）を購入及び／又は他の方法で取得すると、ユーザは、カプセル及びペンを組み立てて（例えば、カプセルをペンに取り付けることを介して）、気化器を形成することができる（フェーズ「Ｇ」の３７４Ａにおいて）。任意選択的に、ユーザ登録３７６Ａ及び／又はデバイス登録３７８Ａもフェーズ「Ｇ」中に行われる。幾つかの実施形態では、ユーザ登録３７６Ａ及び／又はデバイス登録３７８Ａは、例えば、図２のソフトウェアアプリ２３６ａ等のソフトウェアアプリケーションを介して行われたユーザ入力によりトリガーすることができる。代替又は追加として、ユーザ登録３７６Ａ及び／又はデバイス登録３７８Ａは、気化器とユーザの計算デバイスとの間で自動的に行われる（例えば、近接性検出時）「ハンドシェーク」メッセージ交換によりトリガーすることができ、ソフトウェアアプリケーションを介してユーザに入力プロンプトが提示されることになる。気化器組立体３７４Ａ（及び任意選択的にユーザ登録３７６Ａ及び／又はデバイス登録３７８Ａ）が完成すると、気化器妥当性確認３８０Ａが実行される（これもフェーズ「Ｇ」中）。
【００４７】
[1051]  幾つかの実装形態では、新たに組み立てられた気化器は、妥当性確認ステップ３８０Ａが問題なく完了するまで蒸気生成を阻止するように構成される。他の実装形態では、新たに組み立てられた気化器は、所定の吸入（又は「吸引」）回数分、機能するように構成され、所定の吸入回数が行われると、妥当性確認ステップ３８０Ａが問題なく完了するまで、気化器は、それ自体を自動的にロックする。任意選択的なユーザ及びデバイス登録プロセス３７６Ａ及び３７８Ａと同様に、気化器妥当性確認は、例えば、ユーザの計算デバイス（例えば、スマートフォン）で実行されているソフトウェアアプリケーションを介して行われたユーザ入力によりトリガーすることができる。代替又は追加として、妥当性確認ステップ３８０Ａは、気化器とユーザの計算デバイスとの間で自動的に行われる（例えば、近接性検出時）「ハンドシェーク」メッセージ交換によりトリガーすることができ、ソフトウェアアプリケーションを介してユーザへの入力プロンプトがユーザの計算デバイスに提示される。代替又は追加として、妥当性確認ステップ３８０Ａは、気化器組み立て（すなわちカプセルをペンに取り付けた）時に気化器とユーザの計算デバイスとの間で自動的に行われる（例えば、近接性検出時）「ハンドシェーク」メッセージ交換によりトリガーすることができ、妥当性確認要求メッセージ（「カプセル取り付けイベント検出メッセージ」とも呼ばれる）のリモートサーバ（例えば、図２のコマンドセンタ２２４等のコマンドセンタ）への自動送信が行われる。どのようにトリガーされたにせよ、リモートサーバでの妥当性確認に成功した場合、アンロックメッセージがリモートサーバから送信され、気化器及びユーザ計算デバイスの一方又は両方で受信されて、気化器を使用のためにアンロックさせる。しかしながら、リモートサーバにおける妥当性確認に成功しない場合、アラートメッセージがリモートサーバから送信され、気化器及びユーザ計算デバイスの一方又は両方で受信されて、例えば気化器が使用できないことの視覚的、触覚的又は可聴的指示を生じさせる。妥当性確認は、以下の非網羅的な要因リストの１つ又は複数に基づくことができる：カプセル識別子、気化器識別子、ユーザ識別子、ユーザの年齢、ユーザの登録ステータス、デバイス登録ステータス、リコールフラグ設定等。妥当性確認に成功すると、ユーザは、気化器の使用（３８２Ａ）に進む。例えば、特定の気化器又は気化器グループに関連付けられた気化器識別子は、カプセル識別子に関して上述したのと同様に、気化器のメモリに記憶するか、又は他の方法で気化器内若しくは上に含まれ得る。ユーザ計算デバイスは、気化器から気化器識別子を受信し（例えば、気化器の送信機又は気化器のラベルのスキャンを介して）、気化器識別子を妥当性確認に向けてリモートサーバに送信することができる。リモートサーバは、気化器識別子をリスト又はデータベースと比較し、気化器識別子がリスト内の気化器識別子に対応するか否かを判断することにより、気化器識別子が有効であるか否かを判断することができる。リモートサーバは、少なくとも部分的に、任意のブロック又はリコールが気化器識別子に関連付けられており、リモートサーバ���記憶されているか否かに基づいて、気化器識別子の有効性を判断することもできる。
【００４８】
[1052]  幾つかの実装形態では、３８０Ａにおける気化器妥当性確認は、カプセル及び気化器のペンを係合する（例えば、カプセルをペンに挿入する）たびに実行することができる。幾つかの実装形態では、新しいカプセルを気化器と併用されるたびに（例えば、気化器に関連付けられたアプリがユーザのモバイルデバイスで開かれるたびに）、３８０Ａにおける気化器妥当性確認は、カプセルを認証し、カプセルの登録を検証し、及び／又はデバイス及び／又はユーザの登録を検証することを含むことができる。例えば、カプセルは、気化器のファームウェアが、カプセルに記憶された暗号化デジタル署名（例えば、秘密鍵と組み合わせてカプセルに割り当てられた識別子に基づいて生成される）及び／又はカプセルに関連付けられた識別子（例えば、ＱＲコード、バーコード）を読み取り、認識することにより認証することができる。幾つかの場合、認証は、気化器によりローカルで実行することができる。幾つかの場合、認証は、コマンドセンタ及び／又は計算デバイス等のリモートデバイスにより実行される１つ又は複数のプロセスを呼び出すことができる。カプセルの登録は、カプセルに関連付けられた１つ又は複数の識別子を使用して検証することができる。ユーザ及び／又はデバイスの登録は、カプセルをペンに接続したとき、ユーザ及び／又はデバイスに関連付けられた識別子を使用して検証することができる。幾つかの実装形態では、気化器妥当性確認３８０Ａは、気化器のユーザに関連する詳細（例えば、年齢、個人識別情報、医療ステータス、グループ所属又はユーザの他のステータス）を妥当性確認することを含むユーザ妥当性確認ステップを含むことができる。幾つかの実装形態では、カプセルの検証及び／又は妥当性確認は、カプセル挿入のたびのみならず、使用中、断続的にも実行し得る（例えば、計算デバイスと接続するたびに、物質の吸入に使用するたびに、及び／又は所定の間隔で）。
【００４９】
[1053]  幾つかの実装形態では、気化器は、特定の物質のみがその気化器と併用し得るように物質ロックを実施することができる。幾つかの実施形態では、物質ロックは、登録を介して気化器に関連付けられた計算デバイスのアプリを介してユーザにより開始され得る。物質ロックは、例えば、特定の担体識別子、ユーザ識別子及び／又はカプセル識別子に関連付けられ得る。物質ロックが開始されている（例えば、ＴＨＣ等の特定の物質をロックアウトする）場合、ロックアウトされた物質を含むカプセルが挿入されると、気化器は、ロックアウトされた物質を含むものとしてカプセルを認識する  −  例えば、カプセルパッケージに関連付けられた識別子（例えば、ＱＲコード）又はカプセルのメモリに記憶された識別子（例えば、秘密鍵と組み合わせてデジタル署名の生成に使用され得た、カプセルに割り当てられた識別子）を読み取ることを介して  −  ように構成することができる。次に、気化器は、物質ロックの持続時間にわたり、カプセルの使用をブロックするように構成することができる。例えば、担体識別子及びユーザ識別子を含むカプセル取り付けイベント検出メッセージを気化器から受信すると、気化器に関連付けられた計算デバイスは、担体識別子及び／又はユーザ識別子に関連付けられた物質ロックをチェックすることができる（例えば、コマンドセンタからの情報を要求することを介して）。カプセル及び／又はカプセル内の担体材料に物質ロックが関連付けられていないとコマンドセンタが判断した場合、コマンドセンタは、アンロックメッセージをモバイルデバイス及び／又は気化器に送信することができ、それにより気化器が動作することができる。カプセル及び／又はカプセル内の担体材料に物質ロックが関連付けられているとコマンドセンタが判断した場合、コマンドセンタは、アラートをモバイルデバイス及び／又は気化器に送信することができる（及び気化器は、アンロックメッセージがモバイルデバイス及び／又は気化器に送信されない場合、動作しないように構成することができる）。幾つかの実装形態では、気化器は、挿入されたカプセルがブロックされている物質を含み、したがって使用からブロックされることをユーザに示す（例えば、気化器のインジケータ又は気化器に結合された計算デバイスで実行されるアプリを介して）ように構成することができる。幾つかの実装形態では、物質ロックは、部分ロックであり得、特定の担体材料の消費を特定の用量若しくは量又は特定の時間期間（例えば、１日、１週間又は１ヶ月）当たりの特定の用量若しくは量に制限することができる。幾つかの実装形態では、そのような制限は、気化器によりカプセルのチップ（例えば、追跡構成要素）に直接書き込むことができる（例えば、そのような命令をモバイルデバイスから受信した後）。幾つかの実装形態では、カプセル識別子及び／又は担体識別子の受信に応答して、リモートデバイス又はサーバは、特定のカプセル又は担体に関連付けられた命令を気化器又はリモートデバイスにそれぞれ送信することができ、それにより、気化器は、命令に従って動作する。例えば、命令は、気化器又はカプセルの加熱要素に印加すべき特定の電流、加熱要素の抵抗及び／又は加熱要素の加熱が従う��き加熱プロファイル又はターゲット温度範囲を含むことができる。
【００５０】
[1054]  図３Ｂは、図３Ａの気化器サプライチェーンの種々のイベントのそれぞれの間、例えばコマンドセンタ（図２のコマンドセンタ２２４等）又は他の中央サーバにより収集されるデータ例を示す図である。図３Ｂの参照番号の数字部分は、図３Ａの参照番号の数字部分に対応する。より具体的には、図３Ａの植物生長及び収穫ステップ３５０Ａにおいて、図３Ｂにおける生長状況及び植物データ３５０Ｂ等のデータをコマンドセンタに送信／コマンドセンタにより収集することができる。図３Ａのカプセル製造ステップ３５２Ａにおいて、図３Ｂの未充填カプセル識別子及び製造詳細３５２Ｂ等のデータをコマンドセンタに送信／コマンドセンタにより収集することができる。幾つかの実装形態では、秘密鍵は、秘密鍵を使用して、カプセルに記憶された暗号化署名を生成すことができように、カプセルを生成するように構成された製造ステーションのメモリに記憶することができ、それにより、秘密鍵に関連付けられた公開鍵にアクセスすることができる別のデバイスにより署名を使用してカプセルを認証することができる。図３Ａの担体生成ステップ３５４Ａにおいて、図３Ｂの担体識別子及び製造詳細（３５４Ｂ）等のデータをコマンドセンタに送信／コマンドセンタにより収集することができる。図３Ａのペン製造ステップ３５６Ａにおいて、図３Ｂのペン識別子及び製造詳細（３５６Ｂ）等のデータをコマンドセンタに送信／コマンドセンタにより収集することができる。図３Ａの空カプセル出荷ステップ３５８Ａにおいて、図３Ｂの出荷在庫データ及び出荷追跡詳細（３５８Ｂ）等のデータをコマンドセンタに送信／コマンドセンタにより収集することができる。図３Ａの担体出荷ステップ３６０Ａにおいて、図３Ｂの出荷在庫データ及び出荷追跡詳細（３６０Ｂ）等のデータをコマンドセンタに送信／コマンドセンタにより収集することができる。図３Ａのペン出荷ステップ３６２Ａにおいて、図３Ｂの出荷在庫データ及び出荷追跡詳細（３６２Ｂ）等のデータをコマンドセンタに送信／コマンドセンタにより収集することができる。図３Ａの充填イベントステップ３６４Ａにおいて、図３Ｂの充填データ（３６４Ｂ）等のデータをコマンドセンタに送信／コマンドセンタにより収集することができる。
【００５１】
[1055]  幾つかの実装形態では、充填イベントは、テストイベントと、本明細書に記載されるシステムに関連付けられたデータベースにカプセルを登録する登録イベントとを含むことができる。カプセルが充填された後、テストイベントは、カプセルに充填された担体材料の成分のテスト及び分析を含むことができ、その結果生成された情報（例えば、分析証明書の形態）は、カプセルへの識別子の追加及び／又はカプセルのメモリへの識別子記憶を介してカプセルに関連付けることができる。幾つかの場合、カプセル内の担体材料に関する情報のカプセルとの関連及び関連の登録は、法による準拠要件に従うことができる。
【００５２】
[1056]  充填及びテストイベントに続き、幾つかの実装形態では、充填機ステーションは、カプセルの識別に使用される識別子を、カプセルの別の識別子及び／又はカプセルに充填された担体材料の識別に使用される識別子に関連付け、カプセルの有効性の検証のために関連をシステム（例えば、コマンドセンタにおける）に記憶することにより、カプセルを登録することができる。充填機ステーションは、カプセルを認証し（カプセルへの認証鍵記憶を使用するか又はカプセルに取り付けられた識別子を使用することにより）、カプセルパッケージに関連付けられた識別子（例えば、ＱＲコード）を、カプセル及び／又はカプセルに充填された担体材料が関連付けられた識別子に関連付けることにより、各カプセルの登録を実行することができる。
【００５３】
[1057]  図３Ａの充填されたカプセルの出荷ステップ３６６Ａにおいて、図３Ｂの出荷在庫データ及び出荷追跡詳細３６６Ｂ等のデータをコマンドセンタに送信／コマンドセンタにより収集することができる。図３Ａのペン出荷ステップ３６８Ａにおいて、図３Ｂの出荷在庫データ及び出荷追跡詳細３６８Ｂ等のデータをコマンドセンタに送信／コマンドセンタにより収集することができる。図３Ａの充填されたカプセルの販売ステップ３７０Ａにおいて、図３Ｂの販売取引詳細３７０Ｂ等のデータをコマンドセンタに送信／コマンドセンタにより収集することができる。図３Ａのペン販売ステップ３７２Ａにおいて、図３Ｂの販売取引詳細３７２Ｂ等のデータをコマンドセンタに送信／コマンドセンタにより収集することができる。図３Ａのユーザ登録ステップ３７６Ａにおいて、図３Ｂのユーザ登録データ３７６Ｂ等のデータをコマンドセンタに送信／コマンドセンタにより収集することができる。図３Ａのデバイス登録ステップ３７８Ａにおいて、図３Ｂのデバイス登録データ３７８Ｂ等のデータをコマンドセンタに送信／コマンドセンタにより収集することができる。図３Ａの気化器妥当性確認ステップ３８０Ａにおいて、図３Ｂの妥当性確認イベントデータ３８０Ｂ等のデータをコマンドセンタに送信／コマンドセンタにより収集することができる。図３Ａの気化器使用ステップ３８２Ａにおいて、図３Ｂの気化器使用データ３８２Ｂ等のデータをコマンドセンタに送信／コマンドセンタにより収集することができる。
【００５４】
[1058]  図４は、幾つかの実施形態による気化器セキュリティ及び／又はトレーサビリティを管理するプロセッサ実施方法を示す。方法４００は、破線の枠で示された２つの部分４８１及び４９１を含む。２つの部分は、一緒に、任意の順序で順次又は独立して実行し得る。
【００５５】
[1059]  図４に示されるように、方法４００は、４８４において、カプセルが充填されたことを示す充填完了メッセージを受信する（例えば、充填機ステーションから）ことと、カプセル識別子及び担体材料識別子の１つ又は複数を指定することとを含む部分４８１を含む。担体材料識別子は、例えば、リモートサーバ（例えば、コマンドセンタ）により、植物又は含まれる製薬材料の由来及び／又は植物又は製薬材料の抽出、蒸留又は他の方法による精製に使用されたプロセス等の関連情報と相互参照することができる。４８６において、プロセッサは、登録要求メッセージ４８６を受信する（例えば、気化器及びユーザの計算デバイスの少なくとも一方から）。４８８ａにおいて、プロセッサは、登録要求を検証することができるか否かを評価する。評価できない場合、プロセッサは、任意選択的に、拒絶メッセージを気化器及び計算デバイスの少なくとも一方に送信することができ、プロセスは、ステップ４８６に戻り、別の登録要求メッセージの受信を待つ。４８８ａにおける検証に成功した場合、プロセッサは、登録記録を生成、記憶し、登録確認メッセージを要求側（すなわち気化器及び計算デバイスの少なくとも一方）に送信する。
【００５６】
[1060]  方法４００は、４９２〜４９８のステップを含む部分４９１を含む。４９２において、プロセッサは、カプセル取り付けイベント検出メッセージを受信し、４９４において、カプセル取り付けイベント検出メッセージが有効であるか否かを判断する。有効ではない場合、プロセッサは、アラートメッセージを要求側（すなわち気化器及び計算デバイスの少なくとも一方）に送信する（４９８において）。カプセル取り付けイベント検出メッセージが有効であると見なされる場合、４９６において、プロセッサは、アンロックメッセージを要求側（すなわち気化器及び計算デバイスの少なくとも一方）に送信する。
【００５７】
[1061]  幾つかの実施形態では、気化器（図１Ａのように使い捨てであるか、又は図１Ｂのように再使用可能であるかに関係なく）は、例えば、カプセル識別子、担体材料識別子又は識別子１２３（図１Ａ及び図１Ｂの）の１つ又は複数により識別可能であり、空気流センサを含む。気化器は、例えば、特定のカプセルが気化器のペンに設置されてから又は購入されてから（使い捨ての場合）発生した吸入イベント数を追跡する（例えば、検出し、ローカルメモリに記憶し、及び／又は関連付けられたものをリモート計算デバイスに送信することにより、リモートメモリに記憶させる）ように構成することができる。材料の消費（すなわち気化／吸入イベントを通した担体材料の消費）を追跡することにより、気化器は、消費データをユーザに送信又は表示し、及び／又はリモートサーバに送信することができる。代替又は追加として、気化器は、所定数の吸引が行われる／検出されると、気化器が自動的にディセーブルされる（例えば、加熱コイルのアクティブ化を阻止することにより）ように、その気化器又は現在設置されているカプセルでの吸引回数を制限することができる。吸引数を制限する機能は、一形態の改竄防止として機能することができ、及び／又は使い捨て気化器若しくはカプセル／カートリッジの不正再充填を阻止することができる。気化器は、例えば、カプセル又は使い捨て気化器に残っている担体材料の量を示すインジケータを表面上又は内部に含むこともできる。カプセル又は使い捨て気化器に残っている担体材料の量は、上述した追跡に基づいて特定することができる。担体材料残量の指示を提供する機能は、例えば、例えば気化器の観測窓を使用して容量を突き止めることが難しいことがある高粘度担体材料が関わる実施に特に有用である。
【００５８】
[1062]  本明細書に記載される任意の実施形態等の幾つかの実施形態では、気化器（例えば、気化器ペン）は、プロセッサ、インターフェース、ヒータ制御回路、送信機及びメモリを含むことができる。インターフェースは、プロセッサに動作可能に結合することができ、プロセッサがカプセルメモリを読み取ることができるように、カプセルメモリを含むカプセルをプロセッサに動作可能かつ着脱可能に結合するように構成することができる。ヒータ制御回路は、プロセッサに動作可能に結合することができ、カプセルに含まれる担体材料を加熱するように構成することができる。送信機は、プロセスに動作可能に結合することができ、リモート計算デバイス及び／又はリモートサーバと通信するように構成することができる。メモリは、プロセッサに動作可能に結合することができ、かつプロセッサに、カプセルがインターフェースに結合されることに応答して、カプセルのメモリを読み取らせ、カプセルのカプセル識別子を識別させる命令を記憶することができる。メモリは、プロセッサに、プロセッサを介して、カプセル識別子に基づいて、カプセルが真正であるか否かを判断させる命令を記憶することもできる。カプセルが真正であると判断された場合、メモリは、プロセッサに、送信機を介して、カプセル識別子が真正であるという指示を含む信号をプロセッサからリモート計算デバイスに送信させる命令を記憶することもできる。カプセルが真正ではないと判断される場合、メモリは、プロセッサに、送信機を介して、アラートを含む信号をプロセッサからリモート計算デバイスに送信させる命令を記憶することもできる。
【００５９】
[1063]  幾つかの実施形態では、メモリは、プロセッサに、カプセル識別子が、メモリに記憶された公開鍵に関連付けられたデジタル署名を含むか否かに基づいて、カプセルが真正であるか否かを判断させる命令を記憶することもできる。
【００６０】
[1064]  幾つかの実施形態では、メモリは、プロセッサに、カプセルが真正であるとプロセッサが判断することに応答して、ヒータ制御回路をアクティブ化させる命令を記憶することもできる。
【００６１】
[1065]  幾つかの実施形態では、メモリは、プロセッサに、送信機を介して、カプセル識別子にリコールが関連付けられているという指示をプロセッサが受信することに応答して、リコール識別子をカプセルメモリに書き込ませる命令を記憶することもできる。
【００６２】
[1066]  幾つかの実施形態では、メモリは、プロセッサｔにさせる命令を記憶することもできる。幾つかの実施形態では、メモリは、プロセッサに、カプセルがインターフェースに結合されることに応答して、送信機を介してカプセル取り付けイベント検出メッセージを送信させ、リモート計算デバイスからアンロック信号を受信した後にのみ、ヒータ制御回路をアクティブ化させる命令を記憶することもできる。
【００６３】
[1067]  「自動的に」という用語は、本明細書では、ユーザ等の外部ソースによる直接入力又はプロンプトなしで行われる動作を修飾するために使用される。自動的に行われる動作は、定期的に、単発的に、イベントの検出（例えば、ユーザログイン）に応答して又は所定のスケジュールに従って行うことができる。
【００６４】
[1068]  本明細書に記載される幾つかの実施形態は、種々のコンピュータ実施動作を実行する命令又はコンピュータコードを有する非一時的コンピュータ可読媒体（非一時的プロセッサ可読媒体と呼ぶこともできる）を有するコンピュータ記憶製品に関する。コンピュータ可読媒体（又はプロセッサ可読媒体）は、それ自体一時的な伝播信号（例えば、空間又はケーブル等の伝送媒体で情報を搬送する伝播電磁波）を含まないという意味で非一時的である。媒体及びコンピュータコード（コードと呼ぶこともできる）は、１つ又は複数の特定の目的に向けて設計及び構築され得る。非一時的コンピュータ可読媒体の例には、限定ではなく、ハードディスク、フロッピーディスク及び磁気テープ等の磁気記憶媒体；コンパクトディスク／デジタルビデオディスク（ＣＤ／ＤＶＤ）、コンパクトディスク読み取り専用メモリ（ＣＤ−ＲＯＭ）及びホログラフィックデバイス等の光学記憶媒体；光ディスク等の磁気光学記憶媒体；搬送波信号処理モジュール；及び特定用途向け集積回路（ＡＳＩＣ）、プログラマブル論理デバイス（ＰＬＤ）、読み取り専用メモリ（ＲＯＭ）及びランダムアクセスメモリ（ＲＡＭ）デバイス等のプログラムコードを記憶及び実行するように特に構成されたハードウェアデバイスがある。本明細書に記載される他の実施形態は、例えば、本明細書で考察された命令及び／又はコンピュータコードを含むことができるコンピュータプログラム製品に関する。
【００６５】
[1069]  本明細書に記載される幾つかの実施形態及び／又は方法は、ソフトウェア（ハードウェアで実行される）、ハードウェア又はそれらの組合せにより実行することができる。ハードウェアモジュールは、例えば、汎用プロセッサ、フィールドプログラマブルゲートアレイ（ＦＰＧＡ）及び／又は特定用途向け集積回路（ＡＳＩＣ）を含み得る。ソフトウェアモジュール（ハードウェアで実行される）は、C、C++、Java（商標）、Ruby、Visual Basic（商標）及び／又は他のオブジェクト指向手続き型若しくは他のプログラミング言語及び開発ツールを含め、多様なソフトウェア言語（例えば、コンピュータコード）で表現することができる。コンピュータコードの例には、限定ではなく、マイクロコード又はマイクロ命令、コンパイラにより生成される等の機械命令、ウェブサービスの生成に使用されるコード及びインタプリタを使用してコンピュータにより実行される高レベル命令を含むファイルがある。例えば、実施形態は、命令型プログラミング言語（例えば、C、Fortran等）、関数型プログラミング言語（Haskell、Erlang等）、論理型プログラミング言語（例えば、Prolog）、オブジェクト指向型プログラミング言語（例えば、Java、C++等）又は他の適したプログラミング言語及び／又は開発ツールを使用して実施され得る。コンピュータコードの追加の例には、限定ではなく、制御信号、暗号化されたコード及び圧縮されたコードがある。
【００６６】
[1070]  種々の概念は、１つ又は複数の方法として実施され得、そのうちの少なくとも１つが提供された。方法の一環として実行される動作は、任意の適した方法で順序付け得る。したがって、動作が、例示的な実施形態で順次動作として示されているにもかかわらず、幾つかの動作を同時に実行することを含み得る、示されるものと異なる順序で実行される実施形態を構築することもできる。別の言い方をすれば、そのような特徴が必ずしも特定の実行順序に限定されるわけではなく、むしろ任意の数のスレッド、プロセス、サービス、サーバ及び／又は同様のものが本開示と一貫した様式で順次、非同期で、共に、並列に、同時に及び／又は同期して実行され得ることを理解されたい。したがって、これらの特徴の幾つかは、１つの実施形態に同時に存在することができないという意味で相互に矛盾し得る。同様に、幾つかの特徴は、革新のある態様に適用可能であり、他の態様に適用できない。
【００６７】
[1071]  加えて、本開示は、本明細書に記載されない他の革新を含むこともできる。本出願人は、そのような革新を実施する権利、追加出願、継続出願、一部継続出願及び／又は分割出願を行う権利を含め、そのような革新の全ての権利を保持する。したがって、本開示の利点、実施形態、例、機能、特徴、論理、動作、編成、構造、トポロジ及び／又は他の態様が、実施形態により定義される本開示への限定又は実施形態への均等物への限定として見なされるべきではないことを理解されたい。個人及び／又は企業ユーザの特定の所望及び／又は特性、データベース構成及び／又は関係モデル、データ型、データ伝送及び／又はネットワークフレームワーク及び／又はシンタックス構造等に応じて、本明細書に開示される技術の種々の実施形態は、本明細書に記載されたような大きい柔軟性及びカスタマイズを可能にするように実施され得る。
【００６８】
[1072]  本明細書において定義され、使用される全ての定義は、辞書における定義、参照により援用される文献における定義、定義された用語の通常の意味よりも優先されると理解されるべきである。
【００６９】
[1073]  本明細書で使用されるように、特定の実施形態では、「約」又は「概ね」という用語は、数値に先行する場合、その値±１０％の範囲を示す。値の範囲が提供される場合、文脈により別段のことが明確に示されない限り、下限の単位の１０分の１に至るまでの、その範囲の上限及び下限間にある各中間値並びにその指定範囲における任意の他の指定値又は中間値が本開示内に包含されることが理解される。これらのより小さい範囲の上限及び下限は、独立に、そのより小さい範囲に含まれ得ると共に、指定範囲における任意の特に除外される限界値を条件として、本発明の範囲内に包含される。指定範囲が限界値の一方又は両方を含む場合、それらの含まれる限界値の一方又は両方を除外する範囲も本開示に含まれる。
【００７０】
[1074]  本明細書及び実施形態において使用される場合、不定冠詞「１つの（a）」及び「１つの（an）」は、逆のことが明確に示されない限り、「少なくとも１つ」を意味するものとして理解されたい。
【００７１】
[1075]  句「及び／又は」は、本明細書及び実施形態で使用される場合、そうして接続される要素、すなわち場合により接続的に存在することもあれば、離接的に存在することもある要素の「いずれか一方又は両方」を意味するものとして理解されたい。「及び／又は」を用いて列記された複数の要素も同じように解釈されるべきであり、すなわちそうして接続される要素の「１つ又は複数」として解釈されるべきである。「及び／又は」節によって特に識別された要素以外に、他の要素は、任意選択的に、特に識別された要素に関連するか又は関連しないかに関係なく存在し得る。したがって、非限定的な例として、「Ａ及び／又はＢ」への言及は、「含む」等のオープンエンド言語と併せて使用される場合、一実施形態ではＡのみ（任意選択的にＢ以外の要素を含む）、別の実施形態ではＢのみ（任意選択的にＡ以外の要素を含む）、さらに別の実施形態ではＡ及びＢの両方（任意選択的に他の要素を含む）等を指すことができる。
【００７２】
[1076]  本明細書及び実施形態で使用される場合、「又は」は、先に定義した「及び／又は」と同じ意味を有するものとして理解されたい。例えば、列記中の項目を分ける場合、「又は」又は「及び／又は」は、包含的であるものとして、すなわち要素の幾つか又はリストの少なくとも１つを包含するが、２つ以上及び任意選択的に追加の列記されない項目を含むものとして解釈されるものとする。「の１つのみ」若しくは「の厳密に１つ」又は実施形態で使用される場合には「からなる」等、逆のことを明確に示す用語のみが、要素の幾つか又はリストの厳密に１つの要素の包含を指す。一般に、「又は」という用語は、本明細書で使用される場合、「いずれか一方」、「の１つ」、「の１つのみ」又は「の厳密に１つ」等の排他性の用語が先行する場合、排他的な代替（すなわち「一方又は他方であるが、両方ではない」）のみを示すものとして理解されるものとする。「基本的に〜からなる」は、実施形態で使用される場合、特許法の分野で使用される通常の意味を有するものとする。
【００７３】
[1077]  本明細書及び実施形態で使用される場合、１つ又は複数の要素のリストに関連した句「少なくとも１つ」は、要素のリスト中の要素の任意の１つ又は複数から選択された少なくとも１つの要素を意味するが、必ずしも要素のリスト内に特に列記されたあらゆる要素の少なくとも１つを含むわけではなく、要素のリスト中の要素のいかなる組合せも除外しないものとして理解されるものとする。この定義では、句「少なくとも１つ」が参照する要素のリスト内で特に識別される要素以外の要素も、特に識別された要素に関連するか又は関連しないかに関係なく任意に存在し得る。したがって、非限定的な例として、「Ａ及びＢの少なくとも１つ」（又は均等に「Ａ又はＢの少なくとも１つ」若しくは均等に「Ａ及び／又はＢの少なくとも１つ」）は、一実施形態では、少なくとも１つ、任意選択的に２つ以上のＡを含み、Ｂが存在しない（任意選択的にＢ以外の要素を含む）こと；別の実施形態では、少なくとも１つ、任意選択的に２つ以上のＢを含み、Ａが存在しない（任意選択的にＡ以外の要素を含む）こと；さらに別の実施形態では、少なくとも１つ、任意選択的に２つ以上のＡ及び少なくとも１つ、任意選択的に２つ以上のＢを含む（任意選択的に他の要素を含む）こと等を指すことができる。
【００７４】
[1078]  実施形態及び上記の本明細書では、「含む」、「包含する」、「持つ」、「有する」、「含有する」、「伴う」、「保持する」及び「で構成される」等の全ての移行句は、オープンエンドであるものとして、すなわち含むが限定されないことを意味するものとして理解されるべきである。移行句「からなる」及び「〜から基本的になる」のみが、それぞれ米国特許商標局の特許審査手続便覧セクション２１１１．０３に記載のようにクローズド又はセミクローズド移行句であるものとする。
【００７５】
[1079]  本開示の特定の実施形態を先に概説したが、多くの代替形態、変更形態及び変形形態が当業者に明かになる。したがって、本明細書に記載された実施形態は、限定ではなく、例示であることが意図される。本開示の趣旨及び範囲から逸脱せずに種々の変更形態がなされ得る。上述した方法及びステップが特定の順序で行われる特定のイベントを示す場合、本開示の利益を有する当業者は、特定のステップの順序が変更可能であり、そのような変更が本発明の変形形態によることを認識する。さらに、特定のステップは、可能な場合、並列プロセスで同時に実行することができ、また同様に上述したように順次実行することもできる。実施形態が特に示され、説明されたが、形態及び詳細における種々の変更形態がなされ得ることが理解される。
【図１Ａ】
2022500771.tif 000003
【図１Ｂ】
2022500771.tif 000004
【図２】
2022500771.tif 000005
【図３Ａ】
2022500771.tif 000006
【図３Ｂ】
2022500771.tif 000007
【図４】
2022500771.tif 000008
【国際調査報告】
2022500771.tif 000009
2022500771.tif 000010
2022500771.tif 000011